(57)【要約】【課題】本発明は収納棚等のブラケット装置に関し、フリーな高さ位置の選択が可能であり、しかも簡便かつ確実に支柱に保持し得るようにすることを目的とする。【解決手段】背面において壁面に直立固定されるチャンネル１０は断面においてコの字状をなし、縦方向のスロット１６を形成している。ブラケット１８は後端縁において下側部分１８Ａは鉛直方向に延びるも、上側部１８Ｂは斜面をなしている。また、ブラケットの後端部に近接して案内具２０が両側に延設するように設けられる。ブラケット１８は上向きに傾斜させることで、案内具２０と共にチャンネル１０内に導入され、案内具２０はチャンネルに係合するも、ブラケット１８の前側部分はスロット１６から突出される。ブラケットを真っ直ぐに戻すことで、ブラケット端縁鉛直部がチャンネル底面に当接し、任意の位置でブラケットをチャンネルを保持することができる。【選択図】  図１
2009082683.tif 000002
【特許請求の範囲】
【請求項１】
長手方向に沿って延設される開口部を形成したチャンネルを形成した部材と、前記チャンネルに一端が位置され、前記開口部から片持状に突出するブラケットと、チャンネル内におけるブラケットの前記一端においてブラケットの側方に延設される案内具とから成り、前記ブラケットは、上側端面は面取り若しくは切除されていて、ブラケットを上向き傾斜させることで案内具共々チャンネルの長手方向に沿ったブラケットの移動が可能であり、チャンネルに導入後のブラケットの下向き回動はブラケット端面をチャンネル内側底面に当接せしめることでブラケットをチャンネルの任意位置に保持可能とするブラケット保持装置。
【請求項２】
長手方向における所定箇所に設けた第１開口部と、前記第１開口部より長手方向に沿って延設される第２開口部とを形成したチャンネルを形成した部材と、前記チャンネルに対して実質的に直交若しくは上向きに僅か傾斜し、第２開口部に実質的にフリーに挿入し得る厚みの板状をなすブラケットと、前記ブラケットの端部においてブラケットの側方に延設される案内具とから成り、前記ブラケットは、チャンネルへの挿入方向における上側端面は面取り若しくは切除されていて、ブラケットを上向き傾斜させることで第１開口部を介して案内具共々チャンネルへのブラケットの挿入、その後の第２開口部に沿ったフリー移動が可能となり、チャンネルに導入後のブラケットの下向き回動はブラケット端面をチャンネル内側底面に当接せしめることでブラケットをチャンネルの任意位置に保持可能とするブラケット保持装置。
【請求項３】
請求項１若しくは２に記載の発明において、夫々がブラケットを支持可能なチャンネルが円周方向に離間して複数配置される装置。
【請求項４】
請求項１から３のいずれか一項に記載の発明において、チャンネルは回転可能な基台上に設置される装置。
【請求項５】
間隔をおいて直立固定された複数のチャンネルを形成した部材と、隣接するチャンネル間において張り渡される保持具と、保持具を支持するためチャンネルに装着されるブラケットとを備え、各チャンネルは、長手方向における所定箇所の第１開口部と、前記第１開口部より長手方向に沿って延設される第２開口部とを形成しており、各ブラケットは、前記チャンネルに対して実質的に直交若しくは上向きに僅か傾斜し、第２開口部に実質的にフリーに挿入し得る厚みの板状をなし、更に、前記ブラケットの端部においてブラケットの側方に延設される案内具を備え、前記ブラケットは、チャンネルへの挿入方向における上側端面は面取り若しくは切除されていて、ブラケットを上向き傾斜させることで第１開口部を介して案内具共々チャンネルへのブラケットの挿入、その後の第２開口部に沿ったフリー移動が可能となり、チャンネルへのブラケットの導入後ブラケットの下向き回動はブラケット端面をチャンネル内側底面に当接せしめることでブラケットをチャンネルの任意位置に保持可能とするブラケット式支持装置。
【請求項６】
請求項５に記載の発明において、保持具はチャンネル間を張り渡されるパイプ状部材により構成され、パイプ状部材はブラケットに形成される係合溝に装着されるブラケット式支持装置。
【請求項７】
請求項６に記載の発明において、前記パイプ状部材は隣接するブラケット間に直列に前後２列に延設され、各列において隣接する支持具は対向端面がブラケットを挟んでねじにより連結され、前後２列の支持具列間に棚板が配置されるブラケット式支持装置。
【請求項８】
請求項７に記載の発明において、各支持具列において支持具は一直線状に整列するスロットを備え、前後２列の支持具列間では整列スロットは水平方向に対向され、対向スロットに棚板の両端縁が挿入されるブラケット式支持装置。
【請求項９】
請求項１から８のいずれか一項記載の発明において、前記案内具はブラケットに穿設された小孔に挿通される支持軸と、ブラケットから突出する前記支持軸の両端に嵌合されるスリーブと、前記スリーブから突出する支持軸の端部に螺合される案内ヘッドとから構成される装置。
【請求項１０】
請求項１から９のいずれか一項に記載の発明において、チャンネルの内側底面に長手方向に溝が形成され、ブラケット端面の、チャンネルの内側底面に対する当接は前記溝において行われる装置。
【請求項１１】
請求項１から１０のいずれか一項に記載の発明において、チャンネルは前面からのブラケットの装着のための切欠部を備える装置。
【発明の詳細な説明】
【技術分野】
【０００１】
この発明はブラケット装置及びブラケット式支持装置に関し、収納棚等の収納装置に使用することができるものである。
【背景技術】
【０００２】
幅方向に離間した一対の直立支柱にブラケットを装着し、ブラケットに棚板を載置することにより構成される収納装置は公知である。棚板の高さ位置の調節のため、支柱は縦方向（長手方向）に等間隔に多数のブラケット装着孔を備えており、ブラケットの係止突起を適当な高さ位置のブラケット装着孔に嵌着することで、ブラケットは支柱に片持支持され、左右の支柱の水平なブラケットに棚板を保持することができる（特許文献１）。
【特許文献１】特開平５−１１５３４４号公報
【発明の開示】
【発明が解決しようとする課題】
【０００３】
従来技術においては支柱の縦方向に等間隔にブラケット装着孔を穿設し、適当な高さのブラケット装着孔を選択し、選択されたブラケット装着孔にブラケット端部の係止突起を装着する構成である。そのため、ブラケットの高さ位置の自由度はブラケット装着孔の間隔により制限されてしまうし、また、ブラケットの安定のため上下に隣接するブラケット装着孔を組みとして使用する構成となっており、組み立て性も良いとは言えない。
【０００４】
この発明はかかる従来技術の問題点に鑑みなされたものであり、フリーな高さ位置の選択が可能であり、しかも簡便かつ確実に支柱に保持し得るようにすることを目的とする。
【課題を解決するための手段】
【０００５】
この発明になるブラケット保持装置は、長手方向に沿って延設される開口部を形成したチャンネルと、前記チャンネルに一端が位置され、前記開口部から片持状に突出するブラケットと、チャンネル内におけるブラケットの前記一端においてブラケットの両側に延設される案内具とから成り、前記ブラケットは、上側端面は切除若しくは面取りされていて、ブラケットを上向き傾斜させることで案内具共々チャンネルの長手方向に沿ったブラケットの移動が可能であり、チャンネルに導入後のブラケットの下向き回動はブラケット端面における非切除部をチャンネル内側底面に当接せしめることでブラケットをチャンネルの任意位置に保持可能とする。
【０００６】
好ましくは、前記案内具はブラケットに穿設された小孔に挿通される支持軸と、ブラケットから突出する前記支持軸の両端に嵌合されるスリーブと、前記スリーブから突出する支持軸の端部に螺合される案内具とから構成される。
【０００７】
チャンネルは壁面に間隔をおいて複数設けられ、チャンネルにはブラケットが装着され、隣接するチャンネルに装着保持されるブラケット間に棚板や支持ロッドなどの支持具を載置保持することができる。
【発明の効果】
【０００８】
ブラケットをチャンネルに対する正常装着状態より幾分上向きに傾斜させることで切除部若しくは面取り部の存在故に両側の案内具と共にチャンネルに沿ってフリーに移動させることができ、所望高さ位置で下向き回動させることでブラケットの端面における非切除鉛直部がチャンネル底面に当接し、任意の位置でブラケットをチャンネルに対して実質的直交位置若しくは幾分上向き位置に保持することができる。ブラケットの片持配置によりチャンネル自重は回転モーメント下でチャンネル底面に対するブラケット端面の当接を深める傾向を持たせ、この傾向は物を載せることによりブラケットに加わる荷重が大きくなる程強くなるため、フリー構造に拘わらずブラケットをその位置に確実に保持することができる。
【発明を実施するための最良の形態】
【０００９】
図１において、１０はチャンネルであり、背面壁10-1と、側面壁10-2とから成る実質的にコの字断面形状の部材として形成され、かつ側面壁10-2の途中から内側に突出する前面壁10-3を備えていて、長手方向に延びる袋形状の内部空間を形成しており、アルミニューム素材の押し出し型材とすることができる。チャンネル１０はその底壁10-1が固定若しくは可動の支持壁面１２（図２）にてビス等の適当な締結具（図示せず）により固定される。収納棚等を構成する場合は複数のチャンネル１０が離間して壁面１２に固定され、棚板若しくは支持ロッドなどの支持具が張渡される構造となる。
【００１０】
チャンネル１０はアルミニューム素材の押し出し型材から所定長さに切断した部品で、上端（図示しない下端も）はブラケット挿入孔１４（本発明の第１開口部）を形成する。また、前面壁10-3間はチャンネル１０の全長に延設するスロット１６（本発明の開口部若しくは第２開口部）を形成している。スロット１６はチャンネル１０の内側空洞の幅より狭められており、スロット１６の上端はブラケット挿入孔１４に開口している。チャンネル１０の内側底面にはスロット１６と対向するように長手方向全長にブラケット係合溝１５が形成される。
【００１１】
ブラケット１８は後述のようにチャンネル１０に片持取り付けされ、この実施形態ではアルミニューム材等の板材より構成され、その肉厚はスロット１６の幅より相当狭くフリーに挿通可能なことはもとより、またチャンネル１０の内面のブラケット係合溝１５より幾分狭く、係合溝１５にガタなく係合するようになっている。ブラケット１８は後述のように棚板の支持部とし、棚板により物品を収納するように使用することもできるし、ブラケット自体をハンガのように使用し、直接物品を収納するようにも使用することができる。
【００１２】
ブラケット１８の後端部にその両側に片持状に突出するように案内具２０が取り付けられている。案内具２０は、この実施形態では、図３及び図４に示す様に、ブラケット１８に穿設された小孔１８´に挿通される支持軸２２と、ブラケット１８から突出する支持軸２２の両端に嵌合されるスリーブ２４と、スリーブ２４から突出する支持軸２２の端部に螺合・締結されるナットとしての案内ヘッド２６とから構成される。両側のナット２６の締結により支持軸２２とスリーブ２４とナット２６とからなる、ブラケット１８に取付けられた案内具２０が構成される。案内ヘッド２６は後述のようにブラケット１８をチャンネル１０の長手方向に沿ってチャンネルから離脱することなく案内せしめる機能のものであり、案内ヘッド２６をナットにより構成することは必ずしも必須ではなく要は背面壁10-1と前面壁10-3との間を案内（摺動若しくは転動）されることにより、ブラケット１８をチャンネル１０に長手方向に沿って円滑に移動せしめる機能を達成するものであればよい。従って、チャンネル１０に沿った案内具２０の案内・移動という案内ヘッド２６の機能からすれば必ずしもナット形状である必要はなく、ブラケットに取付けられる軸部から幾分拡径した円形部材でもよいし場合によっては回転輪とすることもできよう。また、ブラケット１８と案内具２０とを一体に形成することも場合によっては可能である。ブラケット１８は一端面における上側に傾斜面よりなる切除部若しくは面取部１８Ａを有し、切除部１８Ａより下側部位１８Ｂでは鉛直方向に延設されている。鉛直方向とはブラケットの正規装着状態である水平方向に対しての意味である（図１若しくは図６（ロ）参照）。
【００１３】
次に、この発明のブラケットの装着方法について説明すると、チャンネル１０に対するブラケット１８の装着時、ブラケット１８は図１の上側に示す様に立てた状態（一般面が直立した状態）とされ、かつ幾分上向き傾斜される。そのため、、図６（イ）に示す様にブラケット１８の後端縁における傾斜部１８Ａが鉛直方向を向くため、傾斜部１８Ａは溝１５の全長でチャンネルの内側底面即ち溝１５に当接・係合せしめることができる。また、図６（イ）に示すブラケット１８の傾斜状態において斜面１８Ａと案内ヘッド２６の最外面との間の間隔Ｌ１は、溝１５の底面とチャンネル前面壁10-3の内面との間の間隔Ｌ２より幾分小さくなる位置関係とされている。そのため、ブラケット１８は案内具２０と共にチャンネル１０に入り込むことができ、各案内具２０の両側の案内ヘッド２６はチャンネル１０におけるブラケット後壁面10-1と前壁面10-3との間の夫々の内部空洞部に上下移動可能に収容される。チャンネル１０の適当な高さ位置までブラケット１８の導入後に、ブラケット１８を図６（イ）の矢印ａ方向に下向き回動させることで、図６（ロ）に示すように、ブラケット後端縁における非切除部１８Ｂがチャンネル内側底面に当接せしめられる状態に至る。この状態において、ブラケット１８は後端側ではチャンネル内側底面に当接し、他端はフリーであるため、当接部に対していつも自重に応じた下向きモーメントが加わり、この下向きモーメントはチャンネル底面に対するブラケット端面の当接が深まめる傾向を惹起せしめ、この傾向はブラケット間に針渡された本発明の保持部材としての保持棒３０若しくは棚に物を載せることによりブラケットに加わる荷重が大きくなる程強くなるため、フリー構造に拘わらずブラケットをその位置に確実に保持することができる。また、案内ヘッド２６は対向する側壁10-2及び前面壁10-3に対して僅かな間隙を残すようにしており、ブラケット１８の円滑な摺動及び装着時のガタを制御することができる。
【００１４】
図３に示すようにチャンネル１０の前面壁10-3にはチャンネル高さ方向において適当に間隔をおいて切欠10-4（本発明の第１開口部となる）を形成しており、この切欠10-4はチャンネル前面からの案内具２０（案内ヘッド２６）の挿入を可能とすべくスロット１６の端縁からの深さ及び高さ方向の幅が決められている。そのため、想像線２０´で示すようにチャンネル１０の所定高さ位置で前面側から案内具２０、延いてはブラケット１８の装着が可能となる。
【００１５】
図７は図６と比較して面取部１８Ａの角度を緩くしかつ切除長さも短縮したブラケット１８の実施形態を示す。また、この実施形態においてはブラケット後端縁における非切除部１８の下端に突起部18-1を形成することにより、正規装着状態においてブラケット１８が水平より幾分上向きに保持されるようにしている。チャンネル１０への装着に際しては、チャンネル１０への案内具２０の導入を行うべく図７（イ）に示すようにブラケット１８は上向きに傾斜されるのは図６と同様であるが、図６の場合と比較して面取部１８Ａの角度を緩くしかつ切除長さも短縮したため、僅かに傾けるだけで導入が可能となり、少し戻すだけで図７（ロ）に示すようにブラケット１８の端面がチャンネル１０の底面に係合する保持状態とすることができ、チャンネル１０に対するブラケット１８の装着作業の効率化を実現することができる。また、突起部18-1がチャンネル底面に当接することでブラケット１８は保持状態となるため、この保持状態でのブラケット１８は水平より幾分上向きとなり、ブラケット１８に棚を設けて本棚様に構成する場合等（図１０及び図１１の実施形態参照）において物品の保持性（落下防止機能性）を高めることができる。
【００１６】
図８及び図８は別実施形態のブラケット１８を示しており、ブラケット１８は上面に長手方向に間隔をおいて一連の袋状の切り込み３２を形成しており、この切り込み３２は上面の開口部32-1とポケット部32-2とを形成している。他方、保持棒３０は両端にフランジ30-1を備えている。ブラケット１８をチャンネル１０における適当な高さ位置に装着後に、ブラケット１８への保持棒３０の取り付けが適当な位置の切り込み３２において行われるが、その際に、保持棒３０は、矢印ｂに示すように所望位置における切り込み３２の開口部32-1より上から挿入され、そこから少し横移動させることで、保持棒３０をポケット部32-2に確実に装着することができる。開口部32-1の幅及びポケット部32-2の内径は保持棒３０のスムースな挿入及びガタのない装着を可能とする適当な外径とされ、フランジ30-1により係合保持され、簡単に離脱してしまうことはない。
【００１７】
図１０及び図１１はこの発明のブラケットに棚板を装着して本棚様の収納装置に構成する実施形態を示しており、図にはブラケット１８０が２個示され、手前に位置する図示しないそれぞれのチャンネル１０（図１１）に案内具２０により高さ位置フリーに図１と同様に保持されている。この実施形態は３個若しくはそれ以上のブラケットにより本棚様の収納装置を構成するが図には２個のブラケットのみ図示し、図の左側に平行位置する３個目以降のブラケットは図示を省略してある。各ブラケット１１８は上面に一対の略半円形の切欠３４を備え、切欠３４はブラケット１１８の全高さより幾分下げられた上面３６により連結される。本発明の保持部材としての保持棒３８はアルミニューム等を素材とし、隣接するブラケット１１８間の間隔に相当する長さのパイプ状をなし、各保持棒３８は長さ方向全長に延びるスロット４０を形成している。スロット４０の開口幅はベニヤ板等の肉薄棚板４２の厚みｔをガタなくかつスムースに収容し得る幅になっている。保持棒３８はその両端内周にねじ溝が形成されており、このねじ溝に連結スクリュ４４の一端が螺合される。連結スクリュ４４はこの実施形態では全長に亘ってねじ部を備えており、他端のねじ部に別の保持棒３８を螺合することにより複数のブラケット１１８を介した一連の保持棒３８の連結構造を得ることができる。即ち、保持棒３８は隣接する一対のブラケット１８間の間隔に等しく、連結スクリュ４４の外径は切欠３４の内径に等しい。そのため、保持棒３８の対向端面の間に一つのブラケット１１８を位置させ、一方の保持棒３８の端部に連結スクリュ４４の一端を螺合させ、保持棒３８の端部から突出する連結スクリュ４４の部分をブラケット１１８の切欠３４に着座係合させ、隣接する保持棒３８の一端を切欠３４から突出する連結スクリュ４４の他端に螺合締結することで、保持棒３８の外径が切欠３４の内径より適当に大きいことと相俟って一対の保持棒３８の対向端面間にブラケット１１８を挟着し、ブラケット１１８を介した一連の保持棒３８の直列連結構造を得ることができる。このようなブラケット１１８の直列連結構造はブラケット１１８の前後に平行に２列得られ、このブラケット直列連結構造において、一つのブラケット直列連結構造ではスロット４０は直線方法に整列するが、前後に対向したブラケット直列連結構造間では整列スロット４０が水平方向に対面する。そのため、この対向する整列スロット４０に棚板４２の両端縁を図１０の矢印ｆのように挿入することができる。図１１は挿入完了後の棚板４２を断面にて示しており、棚板４２は両端縁が対向スロット４０に嵌合され、棚板４２の下面はブラケット１１８の上面３６に当接する。そして、図１０に示すように両側における最外側のブラケットにおいては外側からナット４８が螺合され、ナット４８の頭部は保持棒３８と同一の外径であり両側にナット４８の締結により、隣接するブラケット１１８と一枚の棚板４２との強固な連結構造を得ることができる。
【００１８】
図１２及び図１３は更に別の実施形態を示しており、チャンネル部材はアルミニューム素材の押し出し型材等としての８角の断面形状（若しくは任意の辺数の多角形状）をなし、基台５０に直立設置している。チャンネル部材は相互に９０度離間した４個の矩形チャンネル２１０を備え、各チャンネル２１０は前面壁210-3間にチャンネル２１０の全長に延設するスロット２１６を形成している。すなわち、スロット２１６の上端はブラケット挿入孔２１４に開口している。チャンネル２１０の内側底面210-1にはスロット２１６と対向するように長手方向全長にブラケット係合溝２１５が形成される。そのため、図１につき説明したと同様に上端部に面取部若しくは切除部を備えたブラケット１８を幾分上に傾斜させてブラケット挿入孔２１４よりチャンネル２１０にブラケット１８及びその案内具２０を挿入し、適当な高さ位置でブラケット１８を水平方向に戻し、ブラケット１８の非面取部若しくは非切除部をチャンネル内側底面210-1におけるブラケット係合溝２１５に係合収容させることで、ブラケット１８を高さ方向における任意位置で保持させることができる。この実施形態では９０度離間して４個のチャンネル２１０を具備させているため４方に任意の高さ位置でブラケットを装着し、ハンガ方式による物品の収納に使用することができる。また、基台５０は外輪５２を備えた二重構造により内輪側を回転可能とすることで９０度離間したどのチャンネル２１０にも容易にアクセス可能に構成することができる。
【図面の簡単な説明】
【００１９】
【図１】図１はこの発明の装置の部分的斜視図である。
【図２】図２はこの発明の装置の水平断面図である。
【図３】図３はこの発明の装置の部分的正面図（図２のIII方向矢視図）である。
【図４】図４は後端より見たブラケットを一部断面（図６のIV−IV方向矢視図）にて表した図である。
【図５】図５は図４のＶ方向矢視図である。
【図６】図６はチャンネルに対するブラケットの装着方法を説明する図（図３のVI−VI線に沿った断面図）である。
【図７】図７は別実施形態における図６と同様なチャンネルに対するブラケットの装着方法を説明する図である。
【図８】図８は別実施形態におけるブラケット側面図である。
【図９】図９は図８のIX−IX線に沿った断面図である。
【図１０】図１０はこの発明のブラケットにより本棚様の収納装置を構成する場合の棚板の配置を示す部分斜視図である。
【図１１】図１１は図１０のXI−XI線に沿って表される断面図である。
【図１２】図１２はこの発明のブラケットによる別実施形態の収納装置を示す部分斜視図である。
【図１３】図１３は図１２のXIII−XIII線に沿って表される断面図である。
【符号の説明】
【００２０】
１０…チャンネル
１２…支持壁面
１４…ブラケット挿入孔
１６…スロット
１８…ブラケット
１８Ａ…ブラケット端縁の傾斜部
１８Ｂ…ブラケット端縁の鉛直部
２０…案内具
２６…案内ヘッド
【図１】
2009082683.tif 000003
【図２】
2009082683.tif 000004
【図３】
2009082683.tif 000005
【図４】
2009082683.tif 000006
【図５】
2009082683.tif 000007
【図６】
2009082683.tif 000008
【図７】
2009082683.tif 000009
【図８】
2009082683.tif 000010
【図９】
2009082683.tif 000011
【図１０】
2009082683.tif 000012
【図１１】
2009082683.tif 000013
【図１２】
2009082683.tif 000014
【図１３】
2009082683.tif 000015